(57)【要約】【課題】被監視物の異常の検知には、複数種類のセンサが必要なため、装置構成が複雑となり、又、いずれのセンサも有線か、或いは無線でもセンサに付設した電池からの給電が必要なため、配線による被監視物の開閉の制約や電池交換の手間等の問題があった。【解決手段】異常監視装置２は、被監視物５・７に固定された無線検知手段３と、該無線検知手段からの電波１８より前記被監視物５・７の異常を検知する無線制御手段４とを備え、該無線制御手段４は、前記無線検知手段３に作動電波１７を送信して非接触で電力を供給する一方、無線検知手段３から受信した電波の方向や強度等の電波特性を分析し、前記被監視物５・７の移動に伴う無線検知手段３の位置データと、前記被監視物５・７の様体変化に伴う無線検知手段３の破損データとを取得し、該位置データと破損データとにより異常の有無を判断する。【選択図】図１
2005301755.tif 000002
【特許請求の範囲】
【請求項１】
被監視物に関する各種情報を収集して分析し異常を検知する異常監視装置において、該異常監視装置は、前記被監視物に固定された無線検知手段と、該無線検知手段からの電波より前記被監視物の異常を検知する無線制御手段とを備え、該無線制御手段は、前記無線検知手段に電波を送信して非接触で電力を供給する一方、無線検知手段から受信した電波の方向や強度等の電波特性を分析して、前記被監視物の移動に伴う無線検知手段の位置データと、前記被監視物の様体変化に伴う無線検知手段の破損データとを取得し、該位置データと破損データとにより異常の有無を判断することを特徴とする異常監視装置。
【請求項２】
前記無線検知手段は、無線制御手段に電波を送受信するアンテナ部と、該アンテナ部を介して供給された電力により動作して前記無線制御手段に電波を送信するセンサ部とから構成され、該センサ部は、前記無線検知手段や被監視物を識別するための固有情報を蓄積する記憶装置を有することを特徴とする請求項１記載の異常監視装置。
【請求項３】
前記無線制御手段は、無線検知手段に電波を送受信する通信部と、該通信部からの信号を基に前記被監視物に関する各種情報を分析して異常の有無を判断する情報分析部とから構成され、該情報分析部は、前記固有情報と、前記位置データと破損データから成る監視情報とに加えて、該監視情報であって被監視物の異常時に無線検知手段より送信された電波から得られる基準情報を蓄積する記憶装置を有し、該基準情報と前記監視情報を比較して異常の有無を判断することを特徴とする請求項２記載の異常監視装置。
【請求項４】
前記無線検知手段のアンテナ部は、外力によって容易に破損する外部アンテナを有することを特徴とする請求項１又は請求項２又は請求項３記載の異常監視装置。
【発明の詳細な説明】
【技術分野】
【０００１】
本発明は、物体の異常、例えば、建造物・乗り物への侵入や、ショーケースからの盗難の際に起こる、窓、ドア、ショーケース等の開閉や破損・破壊等を、誤作動を起こすことなく精度良く検知可能であり、しかも、装置構成が簡単で低コストかつ動作トラブルの発生が少なく、電力切れのない安定した異常監視装置を提供する技術に関する。
【背景技術】
【０００２】
従来より、建造物・乗り物への侵入やショーケースからの盗難を監視するにあたっては、侵入経路上の窓・ドアやケース本体（以下、「被監視物」とする）に、振動センサ、超音波センサ、マグネットセンサ、赤外線センサ等を設置し、これらのセンサをコントローラで制御して、異常を検知する監視装置が採用されている。
【０００３】
しかし、このうち、振動センサでは、振動による被監視物表面の歪みの変化を圧電素子等を用いて検知するため、強風・走行する自動車等により発生する外部からの振動や、建造物・乗り物内部にいる犬・猫等のペットによる振動を検知して、誤作動を起こす、という問題があった。また、被監視物の損傷・破壊時の超音波を検知する超音波センサ、リードスイッチを応用したマグネットセンサ、及び侵入者の動きを検出する赤外線センサについても、振動センサと同様に、建造物・乗り物の外部や内部からの振動に反応して、誤作動を起こす、という問題があった。
【０００４】
そこで、この誤作動を防止するため、窓ガラス等の被監視物の表面に導電部材を形成しておき、該導電部材の破損によって生じる抵抗値の変化を検出することにより、外部や内部からの振動に反応して誤作動を起こすことがなく、被監視物の破損を精度良く検知可能とする技術（例えば、特許文献１参照。）が公知となっている。
【０００５】
【特許文献１】特開２００３−１８７３４４号公報
【発明の開示】
【発明が解決しようとする課題】
【０００６】
しかしながら、この抵抗変化によるセンサは、導電部材の破損を前提としたセンサ（以下、「破損検出センサ」とする）であり、被監視物が開閉しただけでは抵抗が変化しないため、該被監視物の移動に伴う異常を検知できず、この異常を検知するには、前記赤外線等の他のセンサ（以下、「位置検出センサ」とする）を併用する必要があった。そのため、前述の誤作動の問題が解消されないばかりか、複数種類のセンサを組み合わせるために装置構成が複雑となり、装置コスト・保守管理コストが増加し、動作トラブルも発生しやすくなる、という問題があった。
【０００７】
また、上記のいずれのセンサについても、有線で外部電源端子より電力を供給するか、あるいは、無線の場合でもセンサに付設した電池より電力を供給する構成であったため、有線での配線による被監視物の開閉の制約や、無線での電池交換等の手間や該交換に伴う廃材の発生の問題があった。
【課題を解決するための手段】
【０００８】
本発明の解決しようとする課題は以上の如くであり、次にこの課題を解決するための手段を説明する。
すなわち、請求項１においては、被監視物に関する各種情報を収集して分析し異常を検知する異常監視装置において、該異常監視装置は、前記被監視物に固定された無線検知手段と、該無線検知手段からの電波より前記被監視物の異常を検知する無線制御手段とを備え、該無線制御手段は、前記無線検知手段に電波を送信して非接触で電力を供給する一方、無線検知手段から受信した電波の方向や強度等の電波特性を分析して、前記被監視物の移動に伴う無線検知手段の位置データと、前記被監視物の様体変化に伴う無線検知手段の破損データとを取得し、該位置データと破損データとにより異常の有無を判断するものである。
【０００９】
請求項２においては、前記無線検知手段は、無線制御手段に電波を送受信するアンテナ部と、該アンテナ部を介して供給された電力により動作して前記無線制御手段に電波を送信するセンサ部とから構成され、該センサ部は、前記無線検知手段や被監視物を識別するための固有情報を蓄積する記憶装置を有するものである。
【００１０】
請求項３においては、前記無線制御手段は、無線検知手段に電波を送受信する通信部と、該通信部からの信号を基に前記被監視物に関する各種情報を分析して異常の有無を判断する情報分析部とから構成され、該情報分析部は、前記固有情報と、前記位置データと破損データとから成る監視情報に加えて、該監視情報であって被監視物の異常時に無線検知手段より送信された電波から得られる基準情報を蓄積する記憶装置を有し、該基準情報と前記監視情報を比較して異常の有無を判断するものである。
【００１１】
請求項４においては、前記無線検知手段のアンテナ部は、外力によって容易に破損する外部アンテナを有するものである。
【発明の効果】
【００１２】
本発明は、以上のように構成したので、以下に示す効果を奏する。
すなわち、請求項１においては、被監視物に関する各種情報を収集して分析し異常を検知する異常監視装置において、該異常監視装置は、前記被監視物に固定された無線検知手段と、該無線検知手段からの電波より前記被監視物の異常を検知する無線制御手段とを備え、該無線制御手段は、前記無線検知手段に電波を送信して非接触で電力を供給する一方、無線検知手段から受信した電波の方向や強度等の電波特性を分析して、前記被監視物の移動に伴う無線検知手段の位置データと、前記被監視物の様体変化に伴う無線検知手段の破損データとを取得し、該位置データと破損データとにより異常の有無を判断するので、無線検知手段は外部や内部からの振動に反応して誤作動を起こすことがなく、異常を精度良く検知することができる。また、単一の無線検知手段で位置検出センサと破損検出センサとを兼用することができ、異常を検知するのに複数種類のセンサを組み合わせる必要がないため、装置構成が簡単となり、部品点数が少なくて済み、装置自体や保守管理にかかるコストを大幅に低減することができると共に、動作トラブルの発生も少なくすることができる。更に、無線検知手段への給電を、非接触でしかも無線制御手段から電波を送信する度に行うことができるため、配線によって被監視物の動作が制限されることがなく、また、電池式のように電池切れによって装置が急に動作不能となることがなく、電力切れのない安定した異常監視装置を提供することができるのである。加えて、使用済み電池による廃材の発生がないため、資源の無駄使いや環境汚染の防止に大きく貢献できる。
【００１３】
請求項２においては、前記無線検知手段は、無線制御手段に電波を送受信するアンテナ部と、該アンテナ部を介して供給された電力により動作して前記無線制御手段に電波を送信するセンサ部とから構成され、該センサ部は、前記無線検知手段や被監視物を識別するための固有情報を蓄積する記憶装置を有するので、無線検知手段の種類、動作特性、個体番号等のセンサデータと、該無線検知手段を固定した被監視物の種類、動作特性、個体番号等の被監視物データとを、固有情報として、前記無線制御手段に確実に伝達することができるため、無線制御手段において、前記位置データと破損データから成る監視情報と併せ、異常の有無を精度良く判断することができる。
【００１４】
請求項３においては、前記無線制御手段は、無線検知手段に電波を送受信する通信部と、該通信部からの信号を基に前記被監視物に関する各種情報を分析して異常の有無を判断する情報分析部とから構成され、該情報分析部は、前記固有情報と、前記位置データと破損データから成る監視情報とに加えて、該監視情報であって被監視物の異常時に無線検知手段より送信された電波から得られる基準情報を蓄積する記憶装置を有し、該基準情報と前記監視情報を比較して異常の有無を判断するので、異常監視装置の利用者は、特別な専門知識がなくとも自動的に異常の有無を検知することができ、該異常に対する迅速な対応が可能となる。
【００１５】
請求項４においては、前記無線検知手段のアンテナ部は、外力によって容易に破損する外部アンテナを有するので、該外部アンテナを被監視物の固定部側と可動部側に跨って橋設したり、被監視物の破壊対象部に貼設したりすると、被監視物の開閉や破損と一緒に外部アンテナも破損・破壊されるため、特別な検出用部材を別途設けることなく、窓、ドア、ケースはもとより、パチンコ等の遊戯施設の仕切ガラス、缶・ビン等の容器、土産品等の包装物、及びおむつカバー・ベッド等の育児・介護用品など、多種多様な被監視物の異常を検知することができ、低コストで、本発明に関わる異常監視装置の適用範囲を大きく拡大させることができるのである。
【発明を実施するための最良の形態】
【００１６】
次に、発明の実施の形態を説明する。
図１は本発明に係わる異常監視装置を適用した異常監視システムの全体構成を示すブロック図、図２は無線検知手段である無線センサの詳細構成を示すブロック図、図３は無線制御手段であるコントローラの詳細構成を示すブロック図、図４は易損アンテナを取り付けた被監視物を示す斜視図であり、図４（ａ）は容器、図４（ｂ）は包装物、図４（ｃ）は育児・介護用品の場合を示す斜視図である。
【００１７】
初めに、本発明に係わる異常監視装置を適用した異常監視システムの全体構成について、図１により説明する。
【００１８】
なお、本実施例では、被監視物として、住宅のスライド式の窓や店舗のショーケースを中心に説明しているが、パチンコ等の遊戯施設の仕切ガラス、缶・ビン等の容器、土産品等の包装物、及びおむつカバー・ベッド等の育児・介護用品などにも適用可能であり、本発明に係わる装置を適用すれば、これらの被監視物の開閉や破損等の異常を、精度良く、しかも、低コストで装置トラブルもなく安定して監視することができるため、盗難による被害はもちろんのこと、客先へ運搬途中の商品容器の破損によるクレームを最小限に抑制できると共に、監視の必要な幼児や老人等が使用中のおむつカバー・ベッド等の異常も迅速に検知してトラブルがそれ以上拡大しないように迅速に対応することができる。
【００１９】
図１に示す異常監視システム１においては、住宅のスライド式の窓５や店舗のショーケース７に、本発明に係わる異常監視装置２の無線センサ３が固定される一方、該無線センサ３の通信可能範囲内には、前記異常監視装置２のコントローラ４が配設されている。
【００２０】
該コントローラ４は、インターネット等のネットワーク８に接続され、該ネットワーク８には、前記窓５のある住宅を使用する利用者９の携帯電話やパソコン等のローカル端末１０と、前記ショーケース７のある店舗を使用する利用者２２の携帯電話やパソコン等のローカル端末２３と、異常監視サービスを提供する情報管理センタ１１の情報管理装置１２とに接続されている。
【００２１】
更に、該情報管理装置１２には、必要に応じて、前記利用者９・１２が契約を結んだ警備会社１３のパソコン等のローカル端末１４や、警察などの公的取締機関１５の中央コンピュータ等のローカル端末１６を、専用回線２４やネットワーク８を介して接続することも可能である。
【００２２】
これにより、前記無線センサ３から得られた各種情報を基にコントローラ４が判断した異常の有無に関する信号２１（以下「異常監視信号」とする）を、ネットワーク８を介して、利用者９・２２、情報管理センタ１１、更には関係機関の警備会社１３・公的取締機関１５等に瞬時に伝達することができるので、被監視物のある現場に短時間で駆けつける等の、異常に対する迅速な対応が可能となり、更に、前記利用者９・２２と関係機関１３・１５との連係も密となって、これら関係機関１３・１５から利用者９・２２への的確な指示や、逆に、利用者９・２２から関係機関１３・１５への被監視物に関する詳細情報の提供が容易となり、異常に対する、より的確な対応が可能となるのである。
【００２３】
また、住宅や店舗には、警報装置２５を設けると共に、該警報装置２５を前記コントローラ４と有線又は無線で接続することができる。これにより、侵入者へ警報音や光で警告を発して早期に退散させることができ、盗難による被害を最小限に止めることができる。
【００２４】
次に、このような異常監視システム１における、本発明に係わる異常監視装置２について、図１により説明する。
異常監視装置２は、前述したように、コントローラ４と無線センサ３とから構成され、該無線センサ３は、住宅の場合には、前記窓５を構成する窓ガラス６のうちの固定ガラス６ａと可動ガラス６ｂとに、無線センサ３ａと無線センサ３ｂがそれぞれ固定され、店舗の場合には、貴金属類の入ったショーケース７を構成するフレーム７ａやガラス板７ｂに、無線センサ３ｃと無線センサ３ｄがそれぞれ固定されている。
【００２５】
いずれの場合にも、異常監視中は、無線センサ３を起動して作動させるための電波１７（以下、「作動電波」とする）が、前記コントローラ４から無線センサ３ａ〜３ｄに向かって送信される。すると、該無線センサ３ａ〜３ｄは、前記作動電波１７によって給電されて起動し、各無線センサ３ａ〜３ｄ内に記憶された固有情報を含んだ電波１８（以下、「センサ電波」とする）が、各無線センサ３ａ〜３ｄからコントローラ４に向かって送信される。
【００２６】
このような構成において、住宅で、侵入者が前記可動ガラス６ｂをスライドさせて窓５から侵入すると、該可動ガラス６ｂ上の無線センサ３ｂの位置が変化し、該無線センサ３ｂからコントローラ４が受信するセンサ電波１８ｂの方向や強度等の電波特性も変化する。一方、固定ガラス６ａ上の無線センサ３ａの位置は変化しないため、該無線センサ３ａよりコントローラ４が受信するセンサ電波１８ａの方向や強度等の電波特性も変化しない。従って、１８ａと１８ｂの各センサ電波の特性変化、あるいはこれらの合成波の特性変化をコントローラ４内で分析すると、ガラス６ａに対するガラス６ｂの相対位置を位置データとして取得でき、これにより、侵入者による窓ガラス６の開閉を検知することができる。
【００２７】
また、店舗で、侵入者がフレーム７ａを壊したりガラス板７ｂを割ってショーケース７内の貴金属類等を持ち出そうとすると、該無線センサ３ｃ・３ｄの位置が変化したり無線センサ３ｃ・３ｄそのものが損傷若しくは破壊されるため、該無線センサ３ｃ・３ｄからコントローラ４が受信するセンサ電波１８ｃ・１８ｄの方向や強度等の電波特性も変化し、特に、損傷・破壊時には、電波の強度が激減するかゼロとなる。
【００２８】
つまり、１８ｃと１８ｄの各センサ電波の特性変化、あるいはこれらの合成波の特性変化をコントローラ４内で分析すると、通常位置に対するフレーム７ａやガラス板７ｂの相対位置の位置データを取得することができ、特に、電波特性のうちの強度変化を詳細に分析すると、フレーム７ａやガラス板７ｂの破損状況に対応する電波強度を破損データとして取得することができ、これにより、侵入者によるショーケース７の移動・破損・破壊を検知することができる。すなわち、この場合の無線センサ３は、位置データと破損データから成る被監視物に関する情報（以下、「監視情報」とする）を検出可能な、位置検出センサと破損検出センサとの両機能を備えるのである。
【００２９】
なお、住宅で、侵入者がガラス６ａ・６ｂを割って住宅に侵入する場合も、同様にして、センサ電波１８ａ・１８ｂの電波特性のうち特に強度変化を詳細に分析することにより、侵入者による窓５の破損・破壊も検知することができる。
【００３０】
すなわち、被監視物に関する各種情報を収集して分析し異常を検知する異常監視装置２において、該異常監視装置２は、前記被監視物である窓５やショーケース７に固定された無線検知手段である無線センサ３と、該無線検知手段である無線センサ３からの電波であるセンサ電波１８より前記被監視物である窓５やショーケース７の異常を検知する無線制御手段であるコントローラ４とを備え、該無線制御手段であるコントローラ４は、前記無線検知手段である無線センサ３に作動電波１７を送信して非接触で電力を供給する一方、無線検知手段である無線センサ３から受信した電波の方向や強度等の電波特性を分析して、前記被監視物である窓５やショーケース７の移動に伴う無線検知手段である無線センサ３の位置データと、前記被監視物である窓５やショーケース７の様体変化に伴う無線検知手段である無線センサ３の破損データとを取得し、該位置データと破損データとにより異常の有無を判断するので、無線検知手段である無線センサ３は外部や内部からの振動に反応して誤作動を起こすことがなく、異常を精度良く検知することができる。また、単一の無線検知手段である無線センサ３で位置検出センサと破損検出センサとを兼用することができ、異常を検知するのに複数種類のセンサを組み合わせる必要がないため、装置構成が簡単となり、部品点数が少なくて済み、装置自体や保守管理にかかるコストを大幅に低減することができると共に、動作トラブルの発生も少なくすることができる。更に、無線検知手段である無線センサ３への給電を、非接触でしかも無線制御手段であるコントローラ４から電波を送信する度に行うことができるため、配線によって被監視物である窓５やショーケース７の動作が制限されることがなく、また、電池式のように電池切れによって装置が急に動作不能となることがなく、電力切れのない安定した異常監視装置２を提供することができるのである。加えて、使用済み電池による廃材の発生がないため、資源の無駄使いや環境汚染の防止に大きく貢献できる。
【００３１】
次に、前記無線センサ３について、図１、図２、図４により説明する。
該無線センサ３は、アンテナ部２７とセンサ部２８とから構成される。
【００３２】
図２に示すように、このうちのセンサ部２８は、樹脂などのモールド３３で囲まれた、いわゆる非接触ＩＣチップにより構成され、該非接触ＩＣチップ内には、変復調回路等から成る通信装置２９と、該通信装置２９を制御して前記コントローラ４との間で無線通信を行う通信制御装置３０とが、小型チップ化されて内蔵されている。該制御通信装置３０内には、ＲＯＭ等の読み出し専用のメモリから成る記憶装置３１を内蔵しており、該記憶装置３１内には、無線センサ３の種類、センサ電波１８の周波数等の動作特性、及び無線センサ３の個体番号などから成るセンサデータと、該無線センサ３を固定した窓５やショーケース７といった被監視物の種類、ガラス６ａは固定されガラス６ｂは移動するといった被監視物の動作特性、及び被監視物の個体番号などから成る被監視物データとを、固有情報として蓄積した固有情報データベース３２を設けている。
【００３３】
このような構成において、図１、図２に示すように、異常監視中に、前記利用者９・２２や情報管理センタ１１が、前記ローカル端末１０・２３や情報管理装置１２を操作して、ネットワーク８を介して作動信号１９を前記コントローラ４に送信すると、該コントローラ４は、作動電波１７を自動的に発信する。該作動電波１７を、無線センサ３のアンテナ部２７が受信すると、電磁誘導によって電流が流れて電力が生じ、該電力によって前記通信装置２９と通信制御装置３０とが起動し、記憶装置３１内の固有データベース３２の固有情報を含んだセンサ電波１８を自動的に発信するのである。なお、このように入力された電波により発生する電力は、本発明の無線センサ３以外にも、携帯電話等の携帯通信機器のための電力として使用可能であり、その際は、電池に一旦蓄電するなどして、電力をアップした上で使用するようにしてもよい。
【００３４】
すなわち、無線検知手段である無線センサ３は、無線制御手段であるコントローラ４に電波を送受信するアンテナ部２７と、該アンテナ部２７を介して供給された電力により動作して前記無線制御手段であるコントローラ４に電波を送信するセンサ部２８とから構成され、該センサ部２８は、前記無線検知手段である無線センサ３や被監視物を識別するための固有情報を蓄積する記憶装置３１を有するので、無線検知手段である無線センサ３の種類、動作特性、個体番号等のセンサデータと、該無線検知手段である無線センサ３を固定した被監視物の種類、動作特性、個体番号等の被監視物データとを、固有情報として、前記無線制御手段であるコントローラ４に確実に伝達することができるため、無線制御手段であるコントローラ４において、前記位置データと破損データから成る監視情報と併せ、異常の有無を精度良く判断することができる。
【００３５】
また、前記アンテナ部２７としては、前記センサ部２８を構成する非接触ＩＣチップのリードフレームの一部をアンテナとしたり、センサ部２８の外部に別体に外部アンテナ２７ａを設けるようにしてもよい。該外部アンテナ２７ａは、通常のステンレスなど以外に、アルミニウム等の軟質金属や炭素繊維等の非金属導体などの箔や細線から構成してもよい。
【００３６】
このような破損しやすい素材から成るアンテナ３４（以下、「易損アンテナ」とする）は、前記窓５では、固定ガラス６ａや可動ガラス６ｂの表面に、前記ショーケース７では、フレーム７ａやガラス板７ｂの表面に、貼付して固定されており、これらの被監視物６ａ・６ｂ・７ａ・７ｂが破損・破壊されると同時に、前記易損アンテナ３４も一緒に破損・破断されて、無線センサ３からのセンサ電波１８の強度が、激減するかゼロとなるのである。
【００３７】
また、図４に示すように、このような易損アンテナ３４は、容器３５や包装物３６の表面であって封を開ける部分に貼付したり、おむつカバー３７の着脱部分に貼付したり、該着脱部分の繊維に編み込むように構成してもよい。
【００３８】
このような構成において、侵入者が固定ガラス６ａ・可動ガラス６ｂやフレーム７ａ・ガラス板７ｂを破損・破壊したり、店舗内で容器３５や包装物３６が勝手に開封されたり、該容器３５や包装物３６が客先まで運搬中に破損したり、あるいは、育児・介護用品が使用中に外れるといった異常が発生すると、易損アンテナ３４も同時に破損・破壊され、無線センサ３からのセンサ電波１８の強度が変化する。つまり、易損アンテナ３４を組み込むことにより、無線センサ３の破損検出センサとしての機能を飛躍的に高めることができるのである。
【００３９】
すなわち、前記無線検知手段である無線センサ３のアンテナ部２７は、外力によって容易に破損する外部アンテナである易損アンテナ３４を有するので、該外部アンテナである易損アンテナ３４を被監視物の固定部側である固定ガラス６ａと可動部側である可動ガラス６ｂに跨って橋設したり、被監視物の破壊対象部であるフレーム７ａ・ガラス板７ｂに貼設したりすると、被監視物の開閉や破損と一緒に外部アンテナである易損アンテナ３４も破損・破壊されるため、特別な検出用部材を別途設けることなく、窓５、ドア、ケースのショーケース７はもとより、パチンコ等の遊戯施設の仕切ガラス、缶・ビン等の容器３５、土産品等の包装物３６、及びおむつカバー３７・ベッド等の育児・介護用品など、多種多様な被監視物の異常を検知することができ、低コストで、本発明に関わる異常監視装置２の適用範囲を大きく拡大させることができるのである。
【００４０】
次に、前記コントローラ４について、図１乃至図３により説明する。
該コントローラ４は、通信部３８と情報分析部３９とから構成され、該情報分析部３９は、キーボード、タッチパネル、音声入力機器などの入力装置４０と、ＣＲＴディスプレイ、液晶ディスプレイなどの出力装置４１と、制御プログラムや前記センサ電波１８を分析するための分析プログラムなどの各種プログラムを読み込むメインメモリ４３と、該プログラムの指令を受けて各種処理を行う中央処理装置４２と、ＥＥＰＲＯＭ等の書き込み可能なメモリから成る記憶装置４４とから成る。
【００４１】
該記憶装置４４内には、前記無線センサ３から送信されてきたセンサ電波１８の方向や強度等の電波特性を分析して得た位置データと破損データを蓄積する監視情報データベース４７と、各種の異常発生時に被監視物から得られた位置データや破損データを基準データとして蓄積した基準情報データベース４８と、無線センサ３の個体番号等の固有情報のセンサデータと被監視物の固有情報の被監視物データとを蓄積した固有情報データベース４５とを設け、更に、センサ電波１８の分析の際に、前記基準データと比較して異常の有無やその種類・程度等を判断するのに必要な分析モデルデータや分析プログラムを蓄積した分析データベース４６とを設けている。
【００４２】
また、前記通信部３８は、外部若しくは内部にアンテナを有しており、該アンテナを介して無線センサ３に作動電波１７を送信したり、逆に、無線センサ３からセンサ電波１８を受信できるようにし、前記情報分析部３９を無線センサ３と無線で接続するようにしている。更に、この通信部３８は、前記警報装置２５やネットワーク８とも、有線又は無線で接続するようにしている。
【００４３】
このような構成において、前記利用者９・２２や情報管理センタ１１が、無線又は有線で作動信号１９をコントローラ４に送信すると、前記通信部３８が、前記固有情報データベース４５より、目的とする無線センサ３の使用周波数等の固有情報を引き出し、該固有情報を基にして作動電波１７を無線センサ３に自動的に送信する。
【００４４】
該作動電波１７を受信した無線センサ３は、前述したようにして、センサデータと被監視物データの固有情報を含んだセンサ電波１８を発信する。該センサ電波１８中の固有情報は、前記通信部３８を介して情報分析部３９内に入力されると、前記固有情報データベース４５中の固有情報と照会されて、無線センサ３と該無線センサ３が固定されている被監視物が認識・確定される。同時に、通信部３８にて検出されたセンサ電波１８の方向や強度等の電波特性は、前記メインメモリ４３と中央処理装置４２によって、前記基準情報データベース４８中の基準データと比較された上で、前記分析データベース４６中の分析モデルデータや分析プログラムに従って分析される。そして、無線センサ３の位置データや破損データが算出されると、その結果は、前記監視情報データベース４７に監視情報として蓄積されるのである。
【００４５】
該位置データや破損データから成る監視情報と、前記センサデータと被監視物データから成る固有情報とから、被監視物に異常発生と判断した場合には、コントローラ４は、異常監視信号２１を前記利用者９・２２や情報管理センタ１１に自動的に送信し、必要ならば、前記警報装置２５に警報信号５１を送信して、警報音や光で侵入者等に警告を発することができる。
【００４６】
なお、利用者９・２２や情報管理センタ１１が、コントローラ４の記憶装置４４内の各種情報を閲覧したい場合には、必要に応じて、無線又は有線で情報呼出信号２０をネットワーク８を介してコントローラ４に送信すると、各データベース４５〜４８内の情報をのせた情報信号５０が、自動的に、ネットワーク８に向かって送信されるようにしている。
【００４７】
すなわち、無線制御手段であるコントローラ４は、無線検知手段である無線センサ３に電波を送受信する通信部３８と、該通信部３８からの信号を基に前記被監視物に関する各種情報を分析して異常の有無を判断する情報分析部３９とから構成され、該情報分析部３９は、前記固有情報と、前記位置データと破損データから成る監視情報とに加えて、該監視情報であって被監視物の異常時に無線検知手段である無線センサ３より送信された電波から得られる基準情報を蓄積する記憶装置４４を有し、該基準情報と前記監視情報を比較して異常の有無を判断するので、異常監視装置２の利用者９・２２は、特別な専門知識がなくとも自動的に異常の有無を検知することができ、該異常に対する迅速な対応が可能となる。
【００４８】
次に、本発明に係わる異常監視装置２におけるセキュリティについて、図１乃至図３により説明する。
前述したように、無線センサ３の個体番号を、無線センサ３内の記憶装置３１とコントローラ４内の記憶装置４４の双方に組み込むようにしている。これによって、コントローラ４による無線センサ３の個体識別が可能となり、たとえ、侵入者が、偽りのセンサ電波をコントローラ４に発信して侵入を試みようとしても、コントローラ４は、センサ電波中に無線センサ３の個体番号がないために異常と判断し、前記利用者９・２２や情報管理センタ１１に対して、異常監視信号２１を送信して警報を発することができるのである。
【００４９】
すなわち、無線センサ３とコントローラ４が、無線センサ３の個体番号等の共通のＩＤ情報を保有するので、成りすましによる侵入を確実に防止することができる。
【００５０】
更に、無線センサ３内の記憶装置３１を、コントローラ４内の記憶装置４４と同様に、ＥＥＰＲＯＭ等の書き込み可能なメモリにすると共に、無線センサ３とコントローラ４の保有するＩＤ情報を、前記情報管理センタ１１等から必要に応じて変更するようにしてもよい。これによって、ＩＤ情報を変化させることができ、センサ電波の偽装は一層困難となり、成りすましによる侵入を、より確実に防止することができるのである。
【図面の簡単な説明】
【００５１】
【図１】本発明に係わる異常監視装置を適用した異常監視システムの全体構成を示すブロック図である。
【図２】無線検知手段である無線センサの詳細構成を示すブロック図である。
【図３】無線制御手段であるコントローラの詳細構成を示すブロック図である。
【図４】易損アンテナを取り付けた被監視物を示す斜視図であり、図４（ａ）は容器、図４（ｂ）は包装物、図４（ｃ）は育児・介護用品の場合を示す斜視図である。
【符号の説明】
【００５２】
２  異常監視装置
３  無線検知手段
４  無線制御手段
５・７  被監視物
１７  作動電波
１８  無線検知手段から受信した電波
２７  アンテナ部
２８  センサ部
３１  記憶装置
３４  外力によって容易に破損する外部アンテナ
３８  通信部
３９  情報分析部
４４  記憶装置
【図１】
2005301755.tif 000003
【図２】
2005301755.tif 000004
【図３】
2005301755.tif 000005
【図４】
2005301755.tif 000006